(57)【要約】【課題】本考案は、長尺スイッチのオン位置を具体的、且つ、正確に特定できる長尺スイッチのオン位置検出装置を提供する。【解決手段】本考案は、感知部の全長Ｌとした長尺の上部電極２、下部電極３を対向配置し、これらの外周を外被４で覆った４線式の長尺スイッチ１のオン位置を検出するオン位置検出装置１０であって、上部電極２の両端に接続した保護抵抗Ｒｃと、上部電極２に保護抵抗Ｒｃを介して印加電圧Ｖｃｃを供給する電源部１１と、上部電極２の両端の端子電圧Ｖ１、Ｖ２を検出する電圧検出部１３と、全長Ｌと、保護抵抗Ｒｃと、印加電圧Ｖｃｃと、上部電極２の単位長抵抗Ｒｕと、端子電圧Ｖ１、Ｖ２の各値を用いて感知部の一端である基準点から上部電極２、下部電極３のオン位置までの距離ｘを数１の演算で求めるオン位置演算部１５と、オン位置演算部１５で求めたオン位置の情報を表示する表示部１７と、を有するものである。【選択図】図１
0003125044.tif 000002
【実用新案登録請求の範囲】
【請求項１】
感知部の全長Ｌとした長尺の上部電極、下部電極を対向配置し、これらの外周を弾性絶縁材からなる外被で覆った長尺スイッチのオン位置を検出する長尺スイッチのオン位置検出装置であって、
前記上部電極、下部電極に印加電圧を供給する電源部と、
前記上部電極、下部電極の端子電圧を検出する電圧検出部と、
前記全長Ｌと、前記印加電圧と、前記上部電極の単位長抵抗又は下部電極の単位長抵抗と、電圧検出部により検出する端子電圧との各値を用いて感知部の一端である基準点から上部電極、下部電極のオン位置までの距離を求めるオン位置演算部と、
オン位置演算部で求めたオン位置の情報を表示する表示部と、
を有することを特徴とする長尺スイッチのオン位置検出装置。
【請求項２】
感知部の全長Ｌとした長尺の上部電極、下部電極を対向配置し、これらの外周を弾性絶縁材からなる外被で覆った４線式の長尺スイッチのオン位置を検出する長尺スイッチのオン位置検出装置であって、
前記上部電極の両端に接続した保護抵抗Ｒｃと、
前記上部電極に保護抵抗Ｒｃを介して印加電圧Ｖｃｃを供給する電源部と、
前記上部電極両端の端子電圧Ｖ１、Ｖ２を検出する電圧検出部と、
前記全長Ｌと、前記保護抵抗Ｒｃと、前記印加電圧Ｖｃｃと、前記上部電極の単位長抵抗Ｒｕと、電圧検出部により検出する端子電圧Ｖ１、Ｖ２との各値を用いて感知部の一端である基準点から上部電極、下部電極のオン位置までの距離ｘを下記数１の演算で求めるオン位置演算部と、
オン位置演算部で求めたオン位置の情報を表示する表示部と、
を有することを特徴とする長尺スイッチのオン位置検出装置。
【数１】
0003125044.tif 000006
【請求項３】
感知部の全長Ｌとした長尺の上部電極、下部電極を対向配置し、これらの外周を弾性絶縁材からなる外被で覆った４線式の長尺スイッチのオン位置を検出する長尺スイッチのオン位置検出装置であって、
前記下部電極の両端に接続した負荷抵抗ＲＬと、
前記下部電極両端の端子電圧Ｖ３、Ｖ４を検出する電圧検出部と、
前記全長Ｌと、前記負荷抵抗ＲＬと、前記下部電極の単位長抵抗Ｒｌと、電圧検出部により検出する端子電圧Ｖ３、Ｖ４との各値を用いて感知部の一端である基準点から上部電極、下部電極のオン位置までの距離ｘを下記数２の演算で求めるオン位置演算部と、
オン位置演算部で求めたオン位置の情報を表示する表示部と、
を有することを特徴とする長尺スイッチのオン位置検出装置。
【数２】
0003125044.tif 000007
【請求項４】
感知部の全長Ｌとした長尺の上部電極、下部電極を対向配置し、これらの外周を弾性絶縁材からなる外被で覆った４線式の長尺スイッチのオン位置を検出する長尺スイッチのオン位置検出装置であって、
前記上部電極の両端に接続した保護抵抗Ｒｃと、
前記下部電極の両端に接続した負荷抵抗ＲＬと、
前記上部電極に保護抵抗Ｒｃを介して印加電圧Ｖｃｃを供給する電源部と、
前記上部電極両端の端子電圧Ｖ１、Ｖ２及び下部電極両端の端子電圧Ｖ３、Ｖ４を検出する電圧検出部と、
前記全長Ｌと、前記保護抵抗Ｒｃと、前記負荷抵抗ＲＬと、前記印加電圧Ｖｃｃと、前記上部電極の単位長抵抗Ｒｕと、前記下部電極の単位長抵抗Ｒｌと、電圧検出部により検出する端子電圧Ｖ１、Ｖ２及び端子電圧Ｖ３、Ｖ４との各値を用いて感知部の一端である基準点から上部電極、下部電極のオン位置までの距離ｘを下記数３の演算で求めるオン位置演算部と、
オン位置演算部で求めたオン位置の情報を表示する表示部と、
を有することを特徴とする長尺スイッチのオン位置検出装置。
【数３】
0003125044.tif 000008
【考案の詳細な説明】
【技術分野】
【０００１】
本考案は、長尺スイッチのオン位置を具体的、且つ、正確に特定できる長尺スイッチのオン位置検出装置に関するものである。
【背景技術】
【０００２】
従来、家屋や建物等のような警備対象物についての防犯目的で、警備対象物の壁面等にテープ状に形成した長尺スイッチを張り巡らし、不審者が警備対象物に侵入した際に長尺スイッチのいずれかの位置に接触しこの長尺スイッチをオンさせることを利用して警報を発生させ、当該不審者の侵入検知を行う警備システムが実用化されている。
【０００３】
しかし、上述した従来の長尺スイッチを用いた警備システムの場合、長尺スイッチがオンしたことは検知できるものの具体的に警備対象物のいずれの位置でオンしたことまでは検知することはできなかった。
【０００４】
即ち、従来の長尺スイッチを用いた警備システムでは、長尺スイッチにおいて所定間隔（例えば５０ｃｍ間隔、１ｍ間隔）でしか異常を検出するオン位置がない構造であり、およその異常位置を検知できるが異常位置そのものを特定することはできず、この結果、警備対象物において不審者が侵入した位置を正確に特定し、警備員が速やかに不審者がいる位置に駆けつけ、適切な防犯措置を講じることが困難であった。
【０００５】
このような事情は、警備対象物の床面に長尺スイッチを配置した複数枚のマットスイッチを敷設して広範囲を監視する警備システムを構成した場合も同様である。
【０００６】
また、上述したテープ状に形成した長尺スイッチ又は長尺スイッチを配置した複数枚のマットスイッチにおいて、長尺スイッチのいずれかの位置に故障が生じてオン状態のままとなってしまった場合においても、故障位置を正確に特定し故障した長尺スイッチ又はマットスイッチを取り替える等の復旧対策を速やかに講じることは困難であった。
【０００７】
特許文献１には、感圧導電性シートの上面と下面とを金網等を電極として挟み、外観をマット状に仕上げた防犯用感圧マットスイッチが提案されている。
【０００８】
しかしながら、この特許文献１の防犯用感圧マットスイッチの場合も、複数枚組み合わせて広域で使用した場合における異常位置の特定手段までは考慮されていない。
【特許文献１】特開２００５−３２７２８号公報
【考案の開示】
【考案が解決しようとする課題】
【０００９】
本考案が解決しようとする問題点は、長尺スイッチのオン位置を具体的、且つ、正確に特定でき、警備システム等に用いた場合の異常位置の正確な特定や、故障発生時の復旧処理を講じる場合に有用な長尺スイッチのオン位置検出装置が存在しない点である。
【課題を解決するための手段】
【００１０】
本考案に係る長尺スイッチのオン位置検出装置は、感知部の全長Ｌとした長尺の上部電極、下部電極を対向配置し、これらの外周を弾性絶縁材からなる外被で覆った長尺スイッチのオン位置を検出する長尺スイッチのオン位置検出装置であって、前記上部電極、下部電極に印加電圧を供給する電源部と、前記上部電極、下部電極の端子電圧を検出する電圧検出部と、前記全長Ｌと、前記印加電圧と、前記上部電極の単位長抵抗又は下部電極の単位長抵抗と、電圧検出部により検出する端子電圧との各値を用いて感知部の一端である基準点から上部電極、下部電極のオン位置までの距離を求めるオン位置演算部と、オン位置演算部で求めたオン位置の情報を表示する表示部と、を有することを最も主要な特徴とする。
【考案の効果】
【００１１】
本考案によれば、以下の効果を奏する。
請求項１記載の考案によれば、感知部の全長Ｌとした長尺の上部電極、下部電極を対向配置し、これらの外周を弾性絶縁材からなる外被で覆った長尺スイッチに対して、電源部により上部電極、下部電極に印加電圧を供給し、電圧検出部により上部電極、下部電極の端子電圧を検出し、オン位置演算部により、全長Ｌ、印加電圧、上部電極の単位長抵抗又は下部電極の単位長抵抗、端子電圧の各値を用いて感知部の一端である基準点から上部電極、下部電極のオン位置までの距離を求め、表示部によりオン位置の情報を表示するものであるから、長尺スイッチのオン位置を具体的、且つ、正確に特定でき、警備システム等に用いた場合の異常位置の正確な特定や、故障発生時の復旧処理を迅速に講じることができる長尺スイッチのオン位置検出装置を提供することができる。
【００１２】
請求項２記載の考案によれば、請求項１記載の考案と略同様な構成で、且つ、上部電極の両端に保護抵抗Ｒｃを付加した構成によって、オン位置演算部により、全長Ｌ、保護抵抗Ｒｃ、印加電圧Ｖｃｃ、上部電極の単位長抵抗Ｒｕ、電圧検出部により検出する端子電圧Ｖ１、Ｖ２の各値を用いて感知部の一端である基準点から上部電極、下部電極のオン位置までの距離ｘを数１の演算で求め、表示部によりオン位置の情報を表示するものであるから、経年変化の影響のある上部電極、下部電極間の接触抵抗ρの値を用いることなく、長尺スイッチのオン位置を具体的、且つ、正確に特定でき、警備システム等に用いた場合の異常位置の正確な特定や、故障発生時の復旧処理を迅速に講じることができる長尺スイッチのオン位置検出装置を提供することができる。
【００１３】
請求項３記載の考案によれば、請求項１記載の考案と略同様な構成で、且つ、下部電極の両端に負荷抵抗ＲＬを付加した構成によって、オン位置演算部により、全長Ｌ、負荷抵抗ＲＬ、電圧検出部により検出する端子電圧Ｖ３、Ｖ４、下部電極の単位長抵抗Ｒｌの各値を用いて感知部の一端である基準点から上部電極、下部電極のオン位置までの距離ｘを数２の演算で求め、表示部によりオン位置の情報を表示するものであるから、請求項２記載の考案と同様、経年変化の影響のある上部電極、下部電極間の接触抵抗ρの値を用いることなく、長尺スイッチのオン位置を具体的、且つ、正確に特定でき、警備システム等に用いた場合の異常位置の正確な特定や、故障発生時の復旧処理を迅速に講じることができる長尺スイッチのオン位置検出装置を提供することができる。
【００１４】
請求項４記載の考案によれば、請求項１記載の考案と略同様な構成で、且つ、上部電極の両端に保護抵抗Ｒｃを接続し、下部電極の両端に負荷抵抗ＲＬを付加した構成とし、電圧検出部により端子電圧Ｖ１、Ｖ２及び端子電圧Ｖ３、Ｖ４を検出し、オン位置演算部により、全長Ｌ、保護抵抗Ｒｃ、負荷抵抗ＲＬ、端子電圧Ｖ１、Ｖ２及び端子電圧Ｖ３、Ｖ４、上部電極の単位長抵抗Ｒｕ、下部電極の単位長抵抗Ｒｌの各値を用いて感知部の一端である基準点から上部電極、下部電極のオン位置までの距離ｘを数３の演算で求め、表示部によりオン位置の情報を表示するものであるから、請求項２記載の考案と同様、経年変化の影響のある上部電極、下部電極間の接触抵抗ρの値を用いることなく、長尺スイッチのオン位置を具体的、且つ、正確に特定でき、警備システム等に用いた場合の異常位置の正確な特定や、故障発生時の復旧処理を迅速に講じることができる長尺スイッチのオン位置検出装置を提供することができる。
【考案を実施するための最良の形態】
【００１５】
本考案は、長尺スイッチのオン位置を具体的、且つ、正確に特定でき、警備システム等に用いた場合の異常位置の正確な特定や、故障発生時の復旧処理を講じる場合に有用な長尺スイッチのオン位置検出装置を提供するという目的を、感知部の全長Ｌとした長尺の上部電極、下部電極を対向配置し、これらの外周を弾性絶縁材からなる外被で覆った４線式の長尺スイッチのオン位置を検出する長尺スイッチのオン位置検出装置であって、前記上部電極の両端に接続した保護抵抗Ｒｃと、前記上部電極に保護抵抗Ｒｃを介して印加電圧Ｖｃｃを供給する電源部と、前記上部電極両端の端子電圧Ｖ１、Ｖ２を検出する電圧検出部と、前記全長Ｌと、前記保護抵抗Ｒｃと、前記印加電圧Ｖｃｃと、前記上部電極の単位長抵抗Ｒｕと、電圧検出部により検出する端子電圧Ｖ１、Ｖ２の各値を用いて感知部の一端である基準点から上部電極、下部電極のオン位置までの距離ｘを数１の演算で求めるオン位置演算部と、オン位置演算部で求めたオン位置の情報を表示する表示部と、を有する構成により実現した。
【実施例】
【００１６】
以下に、本考案の実施例に係る長尺スイッチのオン位置検出装置について詳細に説明する。
図１は、本実施例に係る長尺スイッチ１のオン位置検出装置１０の概略構成を示すものである。
【００１７】
本実施例に係る長尺スイッチ１のオン位置検出装置１０は、接触、離脱によりスイッチ動作を行う長尺の上部電極２、下部電極３を小間隔をもって対向配置し、これらの外周を弾性絶縁材からなる外被４で覆った例えばテープ状の長尺スイッチ１に対して、印加電圧Ｖｃｃを供給する電源部１１と、オン位置検出手段１２とを接続した構成としている。
【００１８】
前記長尺スイッチ１は、上部電極２、下部電極３による感知部の全長をＬとし、上部電極２の両端に及ぶ下部電極３の両端からリード線を引き出した４線式の構成としている。
【００１９】
前記上部電極２の一端から引き出したリード線の端部をＡ点、他端から引き出したリード線の端部をＢ点、下部電極３の一端から引き出したリード線の端部をＣ点、他端から引き出したリード線の端部をＤ点として以下の説明を行う。
【００２０】
前記電源部１１は、図１に示すように、Ａ点に接続した保護抵抗Ｒｃ（プルアップ抵抗）及びＢ点に接続した保護抵抗Ｒｃに各々印加電圧Ｖｃｃを供給するようになっている。また、Ｃ点及びＤ点は各々負荷抵抗ＲＬを介して接地している。
【００２１】
オン位置検出手段１２は、前記Ａ点、Ｂ点、Ｃ点、Ｄ点の電圧Ｖ１、Ｖ２、Ｖ３、Ｖ４を検出する電圧検出部１３と、この電圧検出部１３に接続したオン位置検出装置１０全体の制御動作を行う制御部１４と、前記制御部１４の制御の基に前記電圧Ｖ１、Ｖ２、Ｖ３、Ｖ４の値を基に後述する演算式により長尺スイッチ１のオン位置Ｘを演算するオン位置演算部１５と、オン位置Ｘに対応する具体的な位置情報（例えば長尺スイッチ１を張り巡らせた警備対象物の地点名の情報）を格納した地点名変換データメモリ１６と、制御部１４の制御の基に具体的な位置情報を表示する液晶ディスプレイ等からなる表示部１７と、制御部１４の制御の基に長尺スイッチ１がオンしたときブザー音等の警報を発する警報部１８と、を有している。
【００２２】
次に、図２を参照して長尺スイッチ１の等価回路について説明する。
この長尺スイッチ１の等価回路は、上部電極２、下部電極３による感知部の全長Ｌ、上部電極２の単位長抵抗Ｒｕ、下部電極３の単位長抵抗Ｒｌ、感知部のＡ点側の一端を基準点としたときのオン位置Ｘまでの距離ｘ、オン位置Ｘにおける上部電極２、下部電極３の接触抵抗ρを用いて表すことができる。
【００２３】
即ち、基準点からオン位置までの上部電極２の抵抗はＲｕｘとなり、基準点からオン位置までの下部電極３の抵抗はＲｌｘとなり、オン位置Ｘから上部電極２の感知部他端までの抵抗はＲｕ（Ｌ−ｘ）となり、オン位置Ｘから下部電極３の感知部他端までの抵抗はＲｌ（Ｌ−ｘ）となる。
【００２４】
また、オン位置Ｘにおける上部電極２の電圧をＶｍ、オン位置Ｘにおける下部電極３の電圧をＶρで表すものとする。
【００２５】
更に、前記Ａ点側の保護抵抗Ｒｃに流れる電流をｉ１、前記Ｂ点側の保護抵抗Ｒｃに流れる電流をｉ２、前記Ｃ点側の負荷抵抗ＲＬを流れる電流をｉ３、前記Ｄ点側の負荷抵抗ＲＬを流れる電流をｉ４とする。
【００２６】
次に、本実施例に係る長尺スイッチ１のオン位置Ｘの検出動作を、図２に示す等価回路を参照し、且つ、上述した各素子の回路定数、各電圧、各電流の値を用いて具体的に説明する。
【００２７】
前記オン位置演算部１５は、以下のようにしてオン位置Ｘを特定する。即ち、上部電極２側のＡ点、Ｂ点間に着目すると、Ｖｃｃ−Ｖｍ＝（Ｒｃ＋Ｒｕｘ）ｉ１、Ｖｃｃ−Ｖｍ＝（Ｒｃ＋Ｒｕ（Ｌ−ｘ）ｉ２）、Ｖｃｃ−Ｖ１＝Ｒｃｉ１、Ｖｃｃ−Ｖ２＝Ｒｃｉ２の各式が成立する。オン位置演算部１５は、これら各式を基に演算を行い経年変化の可能性のある接触抵抗ρに影響されるＶｍの項を消去して、長尺スイッチ１のオン位置Ｘ（距離ｘ）を下記数１の式で求める。
【００２８】
【数１】
0003125044.tif 000003
【００２９】
制御部１４は、オン位置演算部１５により求めた距離ｘを基に地点名変換データメモリ１６を参照してオン位置Ｘに対応する具体的な位置情報、例えば警備対象物の玄関、裏出入口、右側壁面窓等のような具体的な地点名の情報を読み出し、表示部１７に伝送し、警報部１８を駆動して警報を発生させる。
【００３０】
これにより、表示部１７の画面に具体的な地点名の情報が表示されることになり、警備対象物を警備する警備員は迅速に当該地点に駆けつける等の緊急措置を講じることができる。
【００３１】
また、長尺スイッチ１の感知部のいずれかの部分が故障によりオン状態となった場合においても、前記オン位置演算部１５により求めた距離ｘを基に上述した場合と同様にして故障位置を特定でき、修理、取り替え等の修復措置を迅速に講じることができる。
【００３２】
なお、上部電極２側のＡ点、Ｂ点間に着目して本実施例に係る長尺スイッチ１のオン位置検出装置１０を構成する場合には、上述した各式から明らかなように負荷抵抗ＲＬの項を含まないことから、負荷抵抗ＲＬを省略した簡易な回路構成とすることができる。
【００３３】
次に、本実施例に係る長尺スイッチ１のオン位置Ｘの検出動作の他例を下部電極３側のＣ点、Ｄ点間に着目して説明する。この場合には、Ｖρ＝（Ｒｌｘ＋ＲＬ）ｉ３、Ｖρ＝（Ｒｌ（Ｌ−ｘ）＋ＲＬ）ｉ４、Ｖ３＝ＲＬ・ｉ３、Ｖ４＝ＲＬ・ｉ４の各式が成立する。
【００３４】
オン位置演算部１５は、これら各式を基に演算を行い接触抵抗ρに影響されるＶρの項を消去して、長尺スイッチ１のオン位置Ｘ（距離ｘ）を下記数２の式で求める。
【００３５】
【数２】
0003125044.tif 000004
【００３６】
この場合にも、上述した場合と同様にして、警報部１８による警報の発生、表示部１７の画面における具体的な地点名の情報表示が行われ、警備対象物を警備する警備員は迅速に当該地点に駆けつける等の緊急措置を講じたり、故障位置の修理、取り替え等の修復措置を講じることができる。
【００３７】
なお、下部電極３側のＣ点、Ｄ点間に着目して本実施例に係る長尺スイッチ１のオン位置検出装置１０を構成する場合には、上述した各式から明らかなように保護抵抗Ｒｃの項を含まないことから、保護抵抗Ｒｃを省略した簡易な回路構成とすることができる。
【００３８】
次に、本実施例に係る長尺スイッチ１のオン位置Ｘの検出動作の更に別の例を。前記Ａ点、接触抵抗ρ、Ｃ点を含む閉回路及び前記Ｂ点、接触抵抗ρ、Ｄ点を含む閉回路に着目して説明する。
【００３９】
この場合には、前記Ａ点、接触抵抗ρ、Ｃ点を含む閉回路において、Ｒｕｘｉ１＋ρ（ｉ１＋ｉ２）＋Ｒｌｘｉ３＝Ｖｃｃ−Ｒｃｉ１−ＲＬ・ｉ３、前記Ｂ点、接触抵抗ρ、Ｄ点を含む閉回路において、Ｒｕ（Ｌ−ｘ）ｉ２＋ρ（ｉ１＋ｉ２）＋Ｒｌ（Ｌ−ｘ）ｉ４＝Ｖｃｃ−Ｒｃｉ２−ＲＬ・ｉ４、又は、Ｒｕ（Ｌ−ｘ）ｉ２＋ρ（ｉ３＋ｉ４）＋Ｒｌ（Ｌ−ｘ）ｉ４＝Ｖｃｃ−Ｒｃｉ２−ＲＬ・ｉ４の各式が成立する。
【００４０】
更に、図２に示す等価回路から、Ｖｃｃ−Ｖ１＝Ｒｃｉ１、Ｖｃｃ−Ｖ２＝Ｒｃｉ２、ｉ３＝Ｖ３／ＲＬ、ｉ４＝Ｖ４／ＲＬの各式が成立する。
【００４１】
オン位置演算部１５は、これら各式を基に演算を行い、経年変化の可能性のある接触抵抗ρの項を消去して、長尺スイッチ１のオン位置Ｘ（距離ｘ）を下記数３の式で求める。
【００４２】
【数３】
0003125044.tif 000005
【００４３】
この場合にも、上述した場合と同様にして、警報部１８による警報の発生、表示部１７の画面における具体的な地点名の情報表示が行われ、警備対象物を警備する警備員は迅速に当該地点に駆けつける等の緊急措置を講じたり、故障位置の修理、取り替え等の修復措置を講じることができる。
【００４４】
本実施例に係る長尺スイッチ１のオン位置検出装置１０において、前記長尺スイッチ１の回路定数の具体例としては以下の例を挙げることができる。印加電圧Ｖｃｃ＝２４（Ｖ）、全長Ｌ：任意、保護抵抗Ｒｃ及び負荷抵抗ＲＬ＝１０〜２７（Ω）、上部電極２の単位長抵抗Ｒｕ＝０．４７１５４（Ω／ｍ）、下部電極３の単位長抵抗Ｒｌ＝０．０３７２２（Ω／ｍ）。
【００４５】
本実施例に係る長尺スイッチ１のオン位置検出装置１０は、検出領域（監視領域）の分割数、測定全長により長尺スイッチ１を複数使用する等々、種々の組み合わせが可能である。検出領域（監視領域）を増やしたい場合、前記電圧検出部１３を接続する測定点を増やすか表示部１７に表示する表示ゾーンを増やすことで対応できる。
【００４６】
また、本実施例に係る長尺スイッチ１の断線故障に関しては、前記Ａ点、Ｂ点間又はＣ点、Ｄ点間の電圧測定により対応可能である。
【産業上の利用可能性】
【００４７】
本考案に係る長尺スイッチのオン位置検出装置は、検出領域（監視領域）の分割数、測定全長により長尺スイッチを複数使用する等、種々の組み合わせとして広範に利用可能である。検出領域（監視領域）を増やしたい場合、前記電圧検出部を接続する測定点を増やすか表示部に表示する表示ゾーンを増やすことで実用性を高めることができる。
【図面の簡単な説明】
【００４８】
【図１】本考案の実施例に係る長尺スイッチのオン位置検出装置の概略構成図である。
【図２】本実施例に係る長尺スイッチのオン位置検出装置の等価回路図である。
【符号の説明】
【００４９】
１  長尺スイッチ
２  上部電極
３  下部電極
４  外被
１０  オン位置検出装置
１１  電源部
１２  オン位置検出手段
１３  電圧検出部
１４  制御部
１５  オン位置演算部
１６  地点名変換データメモリ
１７  表示部
１８  警報部
【図１】
0003125044.tif 000009
【図２】
0003125044.tif 000010